(57)【要約】【課題】受動光ネットワークシステムにおける誤接続を検知する。【解決手段】媒体アクセス制御アドレスが付与された端末装置と、加入者線終端装置と、加入者線端局装置を備える受動光ネットワークシステムにおける加入者線端局装置の受動光ネットワーク機能部は、加入者線終端装置から登録要求を受信したとき、加入者線終端装置に論理リンク識別子を割り振り、加入者線終端装置から論理リンク識別子が書き込まれた上りフレームを受信したとき、上りフレームの論理リンク識別子を削除し、論理リンク識別子−内部仮想ローカルエリアネットワーク識別子変換テーブルに基づいて上りフレームの論理リンク識別子に対応する内部仮想ローカルエリアネットワーク識別子を書き込んだ転送上りフレームを転送する。履歴情報蓄積部は、転送上りフレーム中の媒体アクセス制御アドレスと、対応する内部仮想ローカルエリアネットワーク識別子との組み合わせの履歴を蓄積する。【選択図】図２
2018129758.tif 000002
【特許請求の範囲】
【請求項１】
媒体アクセス制御アドレスが付与された端末装置と、前記端末装置と接続された加入者線終端装置と、前記加入者線終端装置の上位に接続された加入者線端局装置を備える受動光ネットワークシステムにおける加入者線端局装置であって、
前記加入者線終端装置から登録要求を受信したとき、前記加入者線終端装置に論理リンク識別子を割り振り、前記加入者線終端装置から前記論理リンク識別子が書き込まれた上りフレームを受信したとき、前記上りフレームの前記論理リンク識別子を削除し、保持する論理リンク識別子−内部仮想ローカルエリアネットワーク識別子変換テーブルに基づいて前記上りフレームの前記論理リンク識別子に対応する内部仮想ローカルエリアネットワーク識別子を書き込んだ転送上りフレームを転送する受動光ネットワーク機能部と、
前記転送された前記転送上りフレーム中の媒体アクセス制御アドレスと、前記対応する内部仮想ローカルエリアネットワーク識別子との組み合わせの履歴を蓄積する履歴情報蓄積部と、
を備える加入者線端局装置。
【請求項２】
内部仮想ローカルエリアネットワーク識別子と仮想ローカルエリアネットワーク識別子との対応に関する内部仮想ローカルエリアネットワーク識別子−仮想ローカルエリアネットワーク識別子変換テーブルを保持した内部仮想ローカルエリアネットワーク識別子−仮想ローカルエリアネットワーク識別子変換部と、
前記内部仮想ローカルエリアネットワーク識別子−仮想ローカルエリアネットワーク識別子変換テーブルおよび前記履歴に基づき、媒体アクセス制御アドレスと内部仮想ローカルエリアネットワーク識別子に対応する仮想ローカルエリアネットワーク識別子との組み合わせを出力する履歴変換部と、
履歴変換部の情報を外部のオペレーションシステムへ出力するオペレーションシステム出力部と、
をさらに備える請求項１に記載の加入者線端局装置。
【請求項３】
前記履歴情報蓄積部に蓄積された履歴において同一の媒体アクセス制御アドレスで異なる仮想ローカルエリアネットワーク識別子を検知する誤接続検知部をさらに備える請求項２に記載の加入者線端局装置。
【請求項４】
媒体アクセス制御アドレスが付与された端末装置と、前記端末装置と接続された加入者線終端装置と、前記加入者線終端装置から登録要求を受信したとき、前記加入者線終端装置に論理リンク識別子を割り振り、前記加入者線終端装置から前記論理リンク識別子が書き込まれた上りフレームを受信したとき、前記上りフレームの前記論理リンク識別子を削除し、保持する論理リンク識別子−仮想ローカルエリアネットワーク識別子変換テーブルに基づいて前記上りフレームの前記論理リンク識別子に対応する仮想ローカルエリアネットワーク識別子を書き込んだ転送上りフレームを上位に転送する、加入者線終端装置の上位に接続された加入者線端局装置と、前記加入者線端局装置の上位に接続された転送装置を備える受動光ネットワークシステムにおける転送装置であって、
前記転送上りフレーム中の媒体アクセス制御アドレスと、前記対応する仮想ローカルエリアネットワーク識別子との組み合わせの履歴を蓄積する履歴情報蓄積部を備える転送装置。
【請求項５】
前記履歴情報蓄積部に蓄積された履歴において同一の媒体アクセス制御アドレスで異なる仮想ローカルエリアネットワーク識別子を検知する誤接続検知部をさらに備える請求項４に記載の転送装置。
【請求項６】
媒体アクセス制御アドレスが付与された端末装置と、前記端末装置と接続された加入者線終端装置と、前記加入者線終端装置の上位に接続された加入者線端局装置を備える受動光ネットワークシステムにおける加入者線端局装置が実行する誤接続検知方法であって、
前記加入者線終端装置から登録要求を受信したとき、前記加入者線終端装置に論理リンク識別子を割り振るステップと、
前記加入者線終端装置から前記論理リンク識別子が書き込まれた上りフレームを受信したとき、前記上りフレームの前記論理リンク識別子を削除し、保持する論理リンク識別子−内部仮想ローカルエリアネットワーク識別子変換テーブルに基づいて前記上りフレームの前記論理リンク識別子に対応する内部仮想ローカルエリアネットワーク識別子を書き込んだ転送上りフレームを転送するステップと、
前記転送された前記転送上りフレーム中の媒体アクセス制御アドレスと、前記対応する内部仮想ローカルエリアネットワーク識別子との組み合わせの履歴を蓄積するステップと、
を有する誤接続検知方法。
【発明の詳細な説明】
【技術分野】
【０００１】
本発明は、加入者線端局装置、転送装置、および誤接続検知方法に関する。
【背景技術】
【０００２】
アクセスサービスの高速化に対するニーズの高まりにより、ＦＴＴＨ（Fiber To The Home）の普及が世界的に進んでいる。ＦＴＴＨサービスの大部分は、加入者線端局装置（ＯＬＴ：Optical Line Terminal）が時分割多重（ＴＤＭ：Time Division Multiplexing）により複数の加入者線終端装置（ＯＮＵ：Optical Network Unit）を収容し、経済性に優れた受動光ネットワーク（ＰＯＮ：Passive Optical Network）方式により提供されている。ＴＤＭ−ＰＯＮの上り方向通信では、ＯＬＴにおける帯域割当によりＯＮＵ間でシステム帯域を共有しており、各ＯＮＵがＯＬＴより通知された送信許可時間内にのみ間欠的に信号光を送信することにより、信号光同士の衝突を防いでいる。現在の主力システムは伝送速度がギガビット級であるＧＥ−ＰＯＮ（Gigabit Ethernet PON）、Ｇ−ＰＯＮ（Gigabit-Capable PON）であるが、映像配信サービスの進展に加え、大容量ファイルをアップロード／ダウンロードするアプリケーションの登場などにより、ＰＯＮシステムの更なる大容量化が求められている。
【先行技術文献】
【非特許文献】
【０００３】
【非特許文献１】ＮＴＴ技術ジャーナル  ２００５年１０月  「技術基礎講座  ＧＥ−ＰＯＮ技術  第３回  ＤＢＡ機能」
【非特許文献２】IEEE Standard for Ethernet 802.3-2012 SECTION FIVE “64. Multipoint MAC Control”
【発明の概要】
【発明が解決しようとする課題】
【０００４】
ＩＰ電話やテレビ会議システム等においては、意図しない相手方との接続（誤接続）は、誤課金や個人情報保護の観点から回避する必要がある。ＰＯＮシステムでは、ユーザを識別するために、ＯＬＴよりもユーザ側のＯＮＵに論理リンク識別子（ＬＬＩＤ：Logical Link Identifier（非特許文献２で規定されている））が付与され、ＯＬＴよりも上位ネットワーク側で仮想ローカルエリアネットワーク識別子（ＶＩＤ：Virtual Local Area Network Identifier）が利用される。ＯＬＴはＬＬＩＤとＶＩＤを相互に変換するが、ＯＬＴの故障により意図しないＬＬＩＤやＶＩＤが付与されたフレームが送信された場合、誤接続が起こり得る。従来のＰＯＮシステムにおいては、このような誤接続を検出できなかったため、誤接続発生時に適切なユーザ対応ができない可能性があった。
【０００５】
上記事情に鑑み、本発明は、ＰＯＮシステムにおける誤接続を検出するＯＬＴおよび転送装置を提供することを目的としている。
【課題を解決するための手段】
【０００６】
本発明の一態様は、媒体アクセス制御アドレスが付与された端末装置と、前記端末装置と接続された加入者線終端装置と、前記加入者線終端装置の上位に接続された加入者線端局装置を備える受動光ネットワークシステムにおける加入者線端局装置であって、前記加入者線終端装置から登録要求を受信したとき、前記加入者線終端装置に論理リンク識別子を割り振り、前記加入者線終端装置から前記論理リンク識別子が書き込まれた上りフレームを受信したとき、前記上りフレームの前記論理リンク識別子を削除し、保持する論理リンク識別子−内部仮想ローカルエリアネットワーク識別子変換テーブルに基づいて前記上りフレームの前記論理リンク識別子に対応する内部仮想ローカルエリアネットワーク識別子を書き込んだ転送上りフレームを転送する受動光ネットワーク機能部と、前記転送された前記転送上りフレーム中の媒体アクセス制御アドレスと、前記対応する内部仮想ローカルエリアネットワーク識別子との組み合わせの履歴を蓄積する履歴情報蓄積部と、を備える。
【０００７】
本発明の一態様は、上記の加入者線端局装置であって、内部仮想ローカルエリアネットワーク識別子と仮想ローカルエリアネットワーク識別子との対応に関する内部仮想ローカルエリアネットワーク識別子−仮想ローカルエリアネットワーク識別子変換テーブルを保持した内部仮想ローカルエリアネットワーク識別子−仮想ローカルエリアネットワーク識別子変換部と、前記内部仮想ローカルエリアネットワーク識別子−仮想ローカルエリアネットワーク識別子変換テーブルおよび前記履歴に基づき、媒体アクセス制御アドレスと内部仮想ローカルエリアネットワーク識別子に対応する仮想ローカルエリアネットワーク識別子との組み合わせを出力する履歴変換部と、履歴変換部の情報を外部のオペレーションシステムへ出力するオペレーションシステム出力部と、をさらに備える。
【０００８】
本発明の一態様は、上記の加入者線端局装置であって、前記履歴情報蓄積部に蓄積された履歴において同一の媒体アクセス制御アドレスで異なる仮想ローカルエリアネットワーク識別子を検知する誤接続検知部をさらに備える。
【０００９】
本発明の一態様は、媒体アクセス制御アドレスが付与された端末装置と、前記端末装置と接続された加入者線終端装置と、前記加入者線終端装置から登録要求を受信したとき、前記加入者線終端装置に論理リンク識別子を割り振り、前記加入者線終端装置から前記論理リンク識別子が書き込まれた上りフレームを受信したとき、前記上りフレームの前記論理リンク識別子を削除し、保持する論理リンク識別子−仮想ローカルエリアネットワーク識別子変換テーブルに基づいて前記上りフレームの前記論理リンク識別子に対応する仮想ローカルエリアネットワーク識別子を書き込んだ転送上りフレームを上位に転送する、加入者線終端装置の上位に接続された加入者線端局装置と、前記加入者線端局装置の上位に接続された転送装置を備える受動光ネットワークシステムにおける転送装置であって、前記転送上りフレーム中の媒体アクセス制御アドレスと、前記対応する仮想ローカルエリアネットワーク識別子との組み合わせの履歴を蓄積する履歴情報蓄積部を備える。
【００１０】
本発明の一態様は、上記の転送装置であって、前記履歴情報蓄積部に蓄積された履歴において同一の媒体アクセス制御アドレスで異なる仮想ローカルエリアネットワーク識別子を検知する誤接続検知部をさらに備える。
【００１１】
本発明の一態様は、媒体アクセス制御アドレスが付与された端末装置と、前記端末装置と接続された加入者線終端装置と、前記加入者線終端装置の上位に接続された加入者線端局装置を備える受動光ネットワークシステムにおける加入者線端局装置が実行する誤接続検知方法であって、前記加入者線終端装置から登録要求を受信したとき、前記加入者線終端装置に論理リンク識別子を割り振るステップと、前記加入者線終端装置から前記論理リンク識別子が書き込まれた上りフレームを受信したとき、前記上りフレームの前記論理リンク識別子を削除し、保持する論理リンク識別子−内部仮想ローカルエリアネットワーク識別子変換テーブルに基づいて前記上りフレームの前記論理リンク識別子に対応する内部仮想ローカルエリアネットワーク識別子を書き込んだ転送上りフレームを転送するステップと、前記転送された前記転送上りフレーム中の媒体アクセス制御アドレスと、前記対応する内部仮想ローカルエリアネットワーク識別子との組み合わせの履歴を蓄積するステップと、を有する。
【発明の効果】
【００１２】
本発明により、誤接続の発生を早急に検知し、迅速に適切なユーザ対応を実施することが可能となる。
【図面の簡単な説明】
【００１３】
【図１】ＰＯＮシステム１０の全体構成を表わす図である。
【図２】第１実施形態のＯＬＴ１００の構成を表わすブロック図である。
【図３】第１実施形態のＯＬＴ１００の動作を表わすフローチャートである。
【図４】第２実施形態のＯＬＴ２００の構成を表わすブロック図である。
【図５】第２実施形態のＯＬＴ２００の動作を表わすフローチャートである。
【図６】ＯＰＳがＯＬＴから履歴情報を取得する動作を表わすフローチャートである。
【図７】第３実施形態のＯＬＴ３００の構成を表わすブロック図である。
【図８】第３実施形態のＯＬＴ３００の動作を表わすフローチャートである。
【発明を実施するための形態】
【００１４】
図１は、ＰＯＮシステム１０の全体構成を表わす。ＰＯＮシステム１０は、ＯＬＴ１００、およびＯＬＴ１００と光ファイバ伝送路１２を経由して接続される複数のＯＮＵ１、２、・・・、ｎ、・・・、Ｎを備える。ＯＬＴ１００とＯＮＵの間を１対多で接続するため、光ファイバ伝送路１２を、光合分波手段１１、例えば光スプリッタを用いて分岐する。ＯＮＵはパーソナルコンピュータやルータ等の端末装置と接続される。ＯＬＴ１００は、端末装置と、端末装置からの要求に対してサービス提供するサーバや通信装置等の上位ネットワーク装置との間の通信を中継する。ＯＬＴ１００はＯＮＵからの登録要求に対し、ＯＮＵ毎に異なるＬＬＩＤを付与する。図１では、ＯＮＵ１、２、ｎ、Ｎに付与されたＬＬＩＤは、それぞれ、ａａａ、ｂｂｂ、ｃｃｃ、ｄｄｄである。
【００１５】
ＰＯＮ区間において、ＯＮＵはＬＬＩＤを用いてユーザ識別を行う。また、ＯＬＴ１００より上位の装置は、IEEE 802.1で標準化されたＶＩＤを用いてユーザ識別を行う。ＯＬＴ１００はＬＬＩＤまたはＶＩＤを用いてユーザを識別する。ＯＬＴ１００が複数の上位装置インターフェースを有する場合、ＯＬＴ１００は上位装置との接続ポート番号およびＶＩＤを用いてユーザ識別を行う。すなわち、ポート番号が異なれば、同一のＶＩＤをもつユーザを別ユーザとして識別してもよい。
【００１６】
ＯＬＴ１００はＯＮＵからＬＬＩＤが書き込まれたフレームを受信し、ＬＬＩＤをＶＩＤに変換した上で上位ネットワーク装置へ転送する。この変換を行うため、ＯＬＴはＬＬＩＤをＶＩＤに変換するＬＬＩＤ−ＶＩＤ変換部を有する。このＬＬＩＤ−ＶＩＤ変換部は、ユーザ毎のＬＬＩＤ−ＶＩＤ変換ルールを記載したＬＬＩＤ−ＶＩＤ変換テーブルを保持する。ＯＮＵ側インターフェースとして複数ポートを有するＯＬＴでは、２つの変換テーブルを保持し、２回に分けて変換を行う場合がある。
【００１７】
図１では、ＯＮＵ１、２、ｎ、Ｎからそれぞれ送信されたフレーム＃１、＃２、＃ｎ、＃ＮのＬＬＩＤ：ａａａ、ｂｂｂ、ｃｃｃ、ｄｄｄは、それぞれ、ＬＬＩＤ−内部ＶＩＤ変換テーブル１３に従って、内部ＶＩＤ：ｏｏｏ、ｐｐｐ、ｑｑｑ、ｒｒｒに変換され、次に、内部ＶＩＤ−ＶＩＤ変換テーブル１４に従って、ＶＩＤ：１１１、２２２、３３３、４４４に変換された後、上位ネットワーク装置へ転送される。
【００１８】
ＬＬＩＤ−内部ＶＩＤ変換テーブル１３および内部ＶＩＤ−ＶＩＤ変換テーブル１４は、次のように作成される。まず、ＶＩＤの値は、あらかじめネットワーク設計者が決めておき、ＯＬＴ１００のオペレータがその値をＯＬＴへ事前登録しておく。すなわち、ＯＬＴ１００で使用されるＶＩＤの値は、端末装置から接続される前に決定される。内部ＶＩＤは、ＯＬＴオペレータがＶＩＤを登録した際に、ＯＬＴ１００内部で自動付与される。この時点で内部ＶＩＤ−ＶＩＤ変換テーブル１４が作成される。その後、端末装置が接続される際に、ＯＮＵからの登録要求に対してＬＬＩＤを割り振り、これと対応する内部ＶＩＤを決定し、これらを用いてＬＬＩＤ−内部ＶＩＤ変換テーブル１３が作成される。
【００１９】
ここで、誤接続が発生し得るメカニズムについて説明する。ＭＡＣアドレスＡを付与された端末装置Ａに接続されたＬＬＩＤ＝１のＯＮＵ１を利用中のユーザＡと、ＭＡＣアドレスＢを付与された端末装置Ｂに接続されたＬＬＩＤ＝２のＯＮＵ２を利用中のユーザＢが存在し、ユーザＡおよびユーザＢは同一ＯＬＴ１００の同一ＯＮＵ側ポート配下に接続されているとする。また、ＯＬＴ１００内のＬＬＩＤ−内部ＶＩＤ変換テーブル１３には、ＬＬＩＤ＝１に対して内部ＶＩＤ＝１００が、ＬＬＩＤ＝２に対して内部ＶＩＤ＝２００がそれぞれ登録されているとし、内部ＶＩＤ−ＶＩＤ変換テーブル１４には、内部ＶＩＤ＝１００に対してＶＩＤ＝１０００が、内部ＶＩＤ＝２００に対してＶＩＤ＝２０００がそれぞれ登録されているとする。上位装置はユーザＡをＶＩＤ＝１０００として、ユーザＢをＶＩＤ＝２０００としてそれぞれ識別し、受信したフレームの転送処理を行う。ここでは、ＯＬＴ１００内部のＬＬＩＤ−ＶＩＤ変換テーブル（ＬＬＩＤ−内部ＶＩＤ変換テーブル１３と内部ＶＩＤ−ＶＩＤ変換テーブル１４で実現されている）が故障し、ＬＬＩＤ＝１に対して内部ＶＩＤ＝２００が保持されたとする。このような故障は宇宙線等の粒子がＬＬＩＤ−ＶＩＤ変換テーブルを実現する半導体メモリに衝突し、当該メモリにてビット反転が生じた場合等が考えられる。このような場合において、端末装置Ａから送信された上りフレームは、ＯＮＵ１においてＬＬＩＤ＝１が付与され、ＯＬＴ１００のＬＬＩＤ−ＶＩＤ変換部（ＬＬＩＤ−内部ＶＩＤ変換部と内部ＶＩＤ−ＶＩＤ変換部に分けて実現してもよい）にて誤ったＬＬＩＤ−ＶＩＤ変換ルールが適用されて内部ＶＩＤ＝２００に変換され、これがＶＩＤ＝２０００に変換され、上位ネットワーク装置へ転送される。この場合、ユーザＡの端末装置から送信されたにもかかわらず、上位ネットワーク装置はユーザＢ（ＶＩＤ＝２０００）からのフレームとして転送処理を行う。下り方向でも同様の事象が発生し得る。
【００２０】
図２は、上記のような事象を検知するための構成を有する、第１実施形態のＯＬＴ１００の構成を表わすブロック図である。図の右がＯＮＵおよび端末装置側、左が上位ネットワーク側である。ＯＬＴ１００は、ＯＮＵ１から上りフレームを受信する。ＯＮＵ１からの上りフレームには、端末装置の媒体アクセス制御（ＭＡＣ）アドレスと、ＯＮＵ１に付与されたＬＬＩＤが書き込まれている。ＰＯＮ機能部１１０は、ＯＮＵ１から上りフレームを受信する上りフレーム受信部１１１と、上りフレームのＬＬＩＤを内部ＶＩＤに変換するＬＬＩＤ−内部ＶＩＤ変換部１１２を有する。ＬＬＩＤ−内部ＶＩＤ変換部１１２は、ＬＬＩＤ−内部ＶＩＤ変換テーブル１３を保持する。ＬＬＩＤ−内部ＶＩＤ変換部１１２は、具体的には、上りフレームのＬＬＩＤを削除し、ＬＬＩＤ−内部ＶＩＤ変換テーブル１３から得られた内部ＶＩＤをフレームに書き込む。
【００２１】
集線部１２０は、複数ポートを集線する。すなわち、ＯＬＴ１００がＯＮＵ側インターフェースとして複数ポートを有する場合、ＯＮＵ側のポート毎に設けられたＰＯＮ機能部１１０を、レイヤ２スイッチ（図示しない）を介して集線する。なお、図２は、ポートおよびＰＯＮ機能部１１０がそれぞれ１つの場合を表わす。集線部１２０は、ＰＯＮ機能部１１０から上りフレームを受信し、受信したフレーム内のＭＡＣアドレスおよび内部ＶＩＤを履歴情報蓄積部１４０に蓄積する上りフレーム受信部１２１と、上りフレームの内部ＶＩＤを上位装置で使用されるＶＩＤに変換する内部ＶＩＤ−ＶＩＤ変換部１２２を有する。内部ＶＩＤ−ＶＩＤ変換部１２２は、ユーザ毎の内部ＶＩＤとＶＩＤの変換ルールを記載した内部ＶＩＤ−ＶＩＤ変換テーブル１４を保持する。内部ＶＩＤ−ＶＩＤ変換部１２２は、具体的には、フレームに書き込まれた内部ＶＩＤを、内部ＶＩＤ−ＶＩＤ変換テーブル１４から得られたＶＩＤで上書きする。
【００２２】
上りフレーム送信部１３０は、ＬＬＩＤがＶＩＤに変換されたフレームを上位ネットワーク側の装置に送信する。すなわち、送信されるフレームには、端末装置のＭＡＣアドレスと、ＬＬＩＤから変換されたＶＩＤが書き込まれている。
【００２３】
履歴情報蓄積部１４０は、転送される上りフレーム内の端末装置のＭＡＣアドレスと、対応する内部ＶＩＤとの組み合わせの履歴を蓄積する。すなわち、上りフレームを受信し上位装置に転送する毎に、ＭＡＣアドレスと内部ＶＩＤを履歴情報蓄積部１４０に累積的に記録する。履歴情報蓄積部１４０に記録された履歴情報の印刷が完了した後は、蓄積済みのＭＡＣアドレスと内部ＶＩＤを削除してもよい。
【００２４】
次に、図３を参照してＯＬＴ１００の動作を説明する。図３は、第１実施形態のＯＬＴ１００の動作を表わすフローチャートである。
ＯＬＴ１００の上りフレーム受信部１１１は、ＯＮＵ１から上りフレームを受信し、ＬＬＩＤ−内部ＶＩＤ変換部１１２に転送する（ステップＳ１００）。ＬＬＩＤ−内部ＶＩＤ変換部１１２は、上りフレーム受信部１１１からフレームを受け取り、受け取ったフレームのＬＬＩＤに対応する内部ＶＩＤをＬＬＩＤ−内部ＶＩＤ変換テーブル１３から取得し、フレーム内のＬＬＩＤを削除し、取得した内部ＶＩＤをフレームに書き込み、そのフレームを上りフレーム受信部１２１に転送する（ステップＳ１１０）。上りフレーム受信部１２１は、ＬＬＩＤ−内部ＶＩＤ変換部１１２からフレームを受け取り、受け取ったフレーム内のＭＡＣアドレスおよび内部ＶＩＤを履歴情報蓄積部１４０に蓄積し、そのフレームを内部ＶＩＤ−ＶＩＤ変換部１２２に転送する（ステップＳ１２０）。内部ＶＩＤ−ＶＩＤ変換部１２２は、上りフレーム受信部１２１からフレームを受け取り、受け取ったフレームの内部ＶＩＤに対応するＶＩＤを内部ＶＩＤ−ＶＩＤ変換テーブル１４から取得し、フレーム内の内部ＶＩＤを、取得したＶＩＤで上書きし、そのフレームを上りフレーム送信部１３０に転送する（ステップＳ１３０）。上りフレーム送信部１３０は、内部ＶＩＤ−ＶＩＤ変換部１２２からフレームを受け取り、上位ネットワーク側の装置に送信する（ステップＳ１４０）。
【００２５】
このようにしてフレームが送信される毎に履歴情報蓄積部１４０に蓄積された履歴情報を保守者が印刷するなどして、同じＭＡＣアドレスに対して複数の内部ＶＩＤが記録されていないかどうかを調べれば、誤接続を確認することができる。
【００２６】
上記のように構成されたＯＬＴ１００では、内部ＶＩＤが履歴に蓄積されることとなる。内部ＶＩＤはＯＬＴ１００が内部で付与し、内部で使用するＶＩＤであるため、ＰＯＮシステム１０の装置保守者が管理するＶＩＤとは異なるという課題がある。すなわち、装置保守者が、誤接続されていると疑われるユーザの内部ＶＩＤを確認できたとしても、当該内部ＶＩＤに該当するユーザ情報（氏名、連絡先等）の確認が困難である。このような課題に対応する構成を説明する。
【００２７】
図４は、第２実施形態のＯＬＴ２００の構成を表わすブロック図である。ＯＬＴ２００のＰＯＮ機能部１１０、集線部１２０、上りフレーム送信部１３０は、図２、図３を参照して説明したＯＬＴ１００のものと同じである。履歴変換部（ＭＡＣ−ＶＩＤ出力部）２１０は、履歴情報蓄積部１４０から履歴情報を取得し、履歴情報として記録された転送上りフレームのＭＡＣアドレスと内部ＶＩＤのうち、内部ＶＩＤに対応するＶＩＤを内部ＶＩＤ−ＶＩＤ変換テーブル１４から取得し、ＭＡＣアドレスとＶＩＤの組み合わせをオペレーションシステム（ＯＰＳ：Operation System）出力部２２０に出力するとともに、履歴情報蓄積部１４０に蓄積する。すなわち、履歴情報蓄積部１４０は、図２、図３を参照して説明した機能・動作に加えて、ＭＡＣアドレスとＶＩＤの組み合わせを蓄積する。なお、履歴変換部２１０は、ＭＡＣアドレスとＶＩＤの組み合わせを履歴情報蓄積部１４０に蓄積しなくてもよい。ＯＰＳ出力部２２０は、履歴変換部２１０から出力されるＭＡＣアドレスとＶＩＤの組み合わせを受け取り、外部のデータベースへの蓄積または画面への出力のために、ＰＯＮシステム１０のＯＰＳへ出力する。ＯＰＳでは、同じＭＡＣアドレスで複数のＶＩＤがあった場合に、誤接続発生と判断することが可能である。
【００２８】
なお、上位装置との接続に複数ポートを有するＯＬＴにおいては、履歴変換部２１０において、ＭＡＣアドレスとポート番号およびＶＩＤの組み合わせを出力すればよい。この構成においては、ＬＬＩＤに対して内部ＶＩＤとＶＩＤを付与するときにＶＩＤとセットにしてポート番号も付与し、内部ＶＩＤ−ＶＩＤ変換テーブル１４に、ＶＩＤとセットにして付与されたポート番号も記録する。
【００２９】
次に、図５を参照してＯＬＴ２００の動作を説明する。図５は、第２実施形態のＯＬＴ２００の動作を表わすフローチャートである。ステップＳ２００からＳ２４０は、図３のステップＳ１００からＳ１４０と同じである。Ｓ２４０で上りフレーム送信部１３０が上位ネットワーク側の装置にフレームを送信した後、履歴変換部２１０は、履歴情報蓄積部１４０から履歴情報を取得し、履歴情報として記録された転送上りフレームのＭＡＣアドレスと内部ＶＩＤのうち、内部ＶＩＤに対応するＶＩＤを内部ＶＩＤ−ＶＩＤ変換テーブル１４から取得し、ＭＡＣアドレスとＶＩＤの組み合わせをＯＰＳ出力部２２０に出力するとともに、履歴情報蓄積部１４０に蓄積する（ステップＳ２５０）。ＯＰＳ出力部２２０は、履歴変換部２１０から出力されるＭＡＣアドレスとＶＩＤの組み合わせを受け取り、ＰＯＮシステム１０のＯＰＳへ出力する（ステップＳ２６０）。なお、ステップＳ２５０以降は、ステップ２２０でＭＡＣアドレスおよび内部ＶＩＤが履歴情報蓄積部１４０に蓄積された後すぐ行ってもよいし、ステップ２４０で上りフレームが送信される毎に行わずに、所定数のフレームが送信される毎に、あるいは定期的に行ってもよい。なお、ステップＳ２５０で、履歴変換部２１０は、ＭＡＣアドレスとＶＩＤの組み合わせを履歴情報蓄積部１４０に蓄積しなくてもよい。
【００３０】
ＯＬＴに蓄積された履歴情報の取得は、ＯＰＳからの要求に応じて行われてもよい。図６は、ＯＰＳがＯＬＴから履歴情報を取得する動作を表わすフローチャートである。ＯＰＳは、ＯＬＴ２００のＯＰＳ出力部２２０に履歴取得要求を送信する。ＯＰＳ出力部２２０は、履歴情報蓄積部１４０に蓄積されたＭＡＣアドレスとＶＩＤの組み合わせを取得し、ＯＰＳに送信する。
【００３１】
以上では、履歴情報は履歴情報蓄積部１４０に蓄積され、あるいはＯＰＳに出力されるように構成され、ＯＬＴ外部で誤接続を検知するが、以下では、ＯＬＴ内部で誤接続を検知するための構成を説明する。図７は、第３実施形態のＯＬＴ３００の構成を表わすブロック図である。ＯＬＴ３００のＰＯＮ機能部１１０、集線部１２０、上りフレーム送信部１３０、履歴情報蓄積部１４０、履歴変換部２１０、ＯＰＳ出力部２２０は、図４、図５を参照して説明したＯＬＴ２００のものと同じである。ＯＬＴ３００で追加された誤接続検知部３１０は、履歴情報蓄積部１４０に蓄積された履歴情報にアクセスし、同一のＭＡＣアドレスに対して異なるＶＩＤが記録されていた場合に、誤接続を検知し、ＯＰＳ出力部２２０に出力する。なお、図４、図５の説明において言及したように、ＯＬＴ２００の履歴変換部２１０は、ＭＡＣアドレスとＶＩＤの組み合わせを履歴情報蓄積部１４０に蓄積しなくてもよく、これはＯＬＴ３００の履歴変換部２１０も同様であり、その場合、誤接続検知部３１０は、履歴情報蓄積部１４０に蓄積されたＭＡＣアドレスと内部ＶＩＤの組み合わせにアクセスし、同一のＭＡＣアドレスに対して異なる内部ＶＩＤが記録されていた場合に、誤接続を検知し、ＯＰＳ出力部２２０に出力してもよい。
【００３２】
次に、図８を参照してＯＬＴ３００の動作を説明する。図８は、第３実施形態のＯＬＴ３００の動作を表わすフローチャートである。ステップＳ３００からＳ３２０は、図５のステップＳ２００からＳ２２０と同じである。ステップ３２０でフレームのＭＡＣアドレスおよび内部ＶＩＤが履歴情報蓄積部１４０に蓄積された後、履歴変換部２１０は、履歴情報蓄積部１４０から履歴情報を取得し、履歴情報として記録された転送上りフレームのＭＡＣアドレスと内部ＶＩＤのうち、内部ＶＩＤに対応するＶＩＤを内部ＶＩＤ−ＶＩＤ変換テーブル１４から取得し、ＭＡＣアドレスとＶＩＤの組み合わせをＯＰＳ出力部２２０に出力するとともに、履歴情報蓄積部１４０に蓄積する（ステップＳ３３０）。誤接続検知部３１０は、履歴情報蓄積部１４０に蓄積された履歴情報にアクセスし、同一のＭＡＣアドレスに対して異なるＶＩＤが記録されていた場合に、誤接続を検知し、ＯＰＳ出力部２２０に出力する（ステップＳ３４０）。なお、ステップＳ３３０で、履歴変換部２１０は、ＭＡＣアドレスとＶＩＤの組み合わせを履歴情報蓄積部１４０に蓄積しなくてもよく、その場合、誤接続検知部３１０は、履歴情報蓄積部１４０に蓄積されたＭＡＣアドレスと内部ＶＩＤの組み合わせにアクセスし、同一のＭＡＣアドレスに対して異なる内部ＶＩＤが記録されていた場合に、誤接続を検知し、ＯＰＳ出力部２２０に出力してもよい。誤接続が検知されなければ、上りフレーム送信部１３０は、内部ＶＩＤ−ＶＩＤ変換部１２２から受け取ったフレームを上位ネットワーク側の装置に送信する（ステップＳ３５０）。誤接続の検知は、フレーム毎、または所定のフレーム数毎に行ってもよいし、フレーム毎に行わずに定期的に行ってもよい。
【００３３】
上記の誤接続検知は、ＯＬＴの上位に接続された転送装置において、転送上りフレーム中のＭＡＣアドレスおよび対応するＶＩＤの組み合わせの履歴を蓄積する履歴情報蓄積部と、同一のＭＡＣアドレスで異なるＶＩＤを検知する誤接続検知部と、を設けることにより実現してもよい。
【００３４】
上述した実施形態における誤接続検知をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００３５】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００３６】
本発明は、通信システムに利用することができる。
【符号の説明】
【００３７】
１，２…ＯＮＵ，  １０…ＰＯＮシステム，  １１…光合分波手段，  １２…光ファイバ伝送路，  １３…ＬＬＩＤ−内部ＶＩＤ変換テーブル，  １４…内部ＶＩＤ−ＶＩＤ変換テーブル，  １００，２００，３００…ＯＬＴ，  １１０…ＰＯＮ機能部，  １１１…上りフレーム受信部，  １１２…ＬＬＩＤ−内部ＶＩＤ変換部，  １２０…集線部，  １２１…上りフレーム受信部，  １２２…内部ＶＩＤ−ＶＩＤ変換部，  １３０…上りフレーム送信部，  １４０…履歴情報蓄積部，  ２１０…履歴変換部，  ２２０…ＯＰＳ出力部，  ３１０…誤接続検知部
【図１】
2018129758.tif 000003
【図２】
2018129758.tif 000004
【図３】
2018129758.tif 000005
【図４】
2018129758.tif 000006
【図５】
2018129758.tif 000007
【図６】
2018129758.tif 000008
【図７】
2018129758.tif 000009
【図８】
2018129758.tif 000010